(57)【特許請求の範囲】
【請求項１】
ドッキングステーション部と当該ドッキングステーション部に記憶された識別情報を記憶するメイン部とをそれぞれ着脱自在に有した複数の携帯端末と、
前記複数の携帯端末のそれぞれにおいてドッキングステーション部と当該ドッキングステーション部に記憶された識別情報を記憶するメイン部とが接続された状態において、複数のドッキングステーション部のそれぞれのＭＡＣアドレスに基づいて、複数のメイン部のそれぞれにＩＰアドレスを割り当てるＤＨＣＰサーバと、
ドッキングステーション部と当該ドッキングステーション部に記憶された識別情報を記憶しないメイン部とが接続されている状態において、一定のスケジュールに従い、当該メイン部のＩＰアドレスが前記ＤＨＣＰサーバにより前記複数のメイン部のいずれかのメイン部に割り当てられたＩＰアドレスである際に、当該メイン部は管理すべきメイン部であると判定し、前記一定のスケジュール外において、前記メイン部が前記ドッキングステーション部に接続された際に、当該メイン部のＩＰアドレスが前記ＤＨＣＰサーバにより前記複数のメイン部のいずれかのメイン部に割り当てられたＩＰアドレスである際に、当該メイン部は管理すべきメイン部であると判定する管理サーバと、を備えた携帯端末システム。
【請求項２】
前記管理サーバは、ドッキングステーション部とメイン部とが接続されている状態において、当該メイン部のＩＰアドレスが前記ＤＨＣＰサーバにより当該ドッキングステーション部とは異なるドッキングステーション部のＭＡＣアドレスに基づいて割り当てられたＩＰアドレスである場合に、当該メイン部は管理すべきメイン部であると判定する請求項１に記載の携帯端末システム。
【請求項３】
前記管理サーバは、ドッキングステーション部とメイン部とが接続されている状態において、当該メイン部のＩＰアドレスが前記ＤＨＣＰサーバにより前記複数のメイン部のいずれかのメイン部に割り当てられたＩＰアドレスでない際に、当該メイン部は管理すべきメイン部でないと判定する請求項１または請求項２に記載の携帯端末システム。
【発明の詳細な説明】
【技術分野】
【０００１】
この発明は、ドッキングステーション部とメイン部とを備えた携帯端末を管理する携帯端末システムに関する。
【背景技術】
【０００２】
特許文献１は、携帯端末システムを開示する。当該携帯端末システムによれば、携帯端末の所在を管理し得る。
【先行技術文献】
【特許文献】
【０００３】
【特許文献１】日本特開２０１１−１８１６８号公報
【発明の概要】
【発明が解決しようとする課題】
【０００４】
しかしながら、ドッキングステーション部とメイン部とが互いに着脱自在に設けられた複数の同種の携帯端末が同じ領域で使用されることもある。この領域に対し、特許文献１に記載の携帯端末システムを適用しても、ドッキングステーション部とメイン部との誤接続を抑制することができない。その結果、メイン部を適切に管理することができない。【０００５】
この発明は、上述の課題を解決するためになされた。この発明の目的は、ドッキングステーション部とメイン部とが誤接続されている場合でも、メイン部を適切に管理することができる携帯端末システムを提供することである。
【課題を解決するための手段】
【０００６】
この発明に係る携帯端末システムは、ドッキングステーション部と当該ドッキングステーション部に記憶された識別情報を記憶するメイン部とをそれぞれ着脱自在に有した複数の携帯端末と、前記複数の携帯端末のそれぞれにおいてドッキングステーション部と当該ドッキングステーション部に記憶された識別情報を記憶するメイン部とが接続された状態において、複数のドッキングステーション部のそれぞれのＭＡＣアドレスに基づいて、複数のメイン部のそれぞれにＩＰアドレスを割り当てるＤＨＣＰサーバと、ドッキングステーション部と当該ドッキングステーション部に記憶された識別情報を記憶しないメイン部とが接続されている状態において、一定のスケジュールに従い、当該メイン部のＩＰアドレスが前記ＤＨＣＰサーバにより前記複数のメイン部のいずれかのメイン部に割り当てられたＩＰアドレスである際に、当該メイン部は管理すべきメイン部であると判定し、前記一定のスケジュール外において、前記メイン部が前記ドッキングステーション部に接続された際に、当該メイン部のＩＰアドレスが前記ＤＨＣＰサーバにより前記複数のメイン部のいずれかのメイン部に割り当てられたＩＰアドレスである際に、当該メイン部は管理すべきメイン部であると判定する管理サーバと、を備えた。
【発明の効果】
【０００７】
この発明によれば、管理サーバは、ドッキングステーション部とメイン部とが接続されている状態において、当該メイン部のＩＰアドレスがＤＨＣＰサーバにより複数のメイン部のいずれかのメイン部に割り当てられたＩＰアドレスである際に、当該メイン部は管理すべきメイン部であると判定する。このため、ドッキングステーション部とメイン部とが誤接続されている場合でも、メイン部を適切に管理することができる。
【図面の簡単な説明】
【０００８】
【図１】実施の形態１における携帯端末システムの構成図である。
【図２】実施の形態１における携帯端末システムが適用される携帯端末のメイン部の動作の概要を説明するためのフローチャートである。
【図３】実施の形態１における携帯端末システムが適用される管理サーバの動作の概要を説明するためのフローチャートである。
【図４】実施の形態１における携帯端末システムが適用される管理サーバの動作の概要を説明するためのフローチャートである。
【図５】実施の形態１における携帯端末システムが適用される携帯端末のメイン部の要部のハードウェア構成図である。
【図６】実施の形態２における携帯端末システムが適用される管理サーバの動作の概要を説明するためのフローチャートである。
【図７】実施の形態２における携帯端末システムが適用される管理サーバの動作の概要を説明するためのフローチャートである。
【図８】実施の形態２における携帯端末システムが適用される管理サーバの動作の概要を説明するためのフローチャートである。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１における携帯端末システムの構成図である。
【００１１】
図１の携帯端末システムにおいて、複数の携帯端末１のそれぞれは、利用者に携帯される。例えば、携帯端末１は、エレベーターの保守員に携帯される。保守員は、携帯端末１を利用して図示されないエレベーターの保守作業を行う。
【００１２】
複数の携帯端末１の各々は、対となるドッキングステーション部１ａとメイン部１ｂとを備える。ドッキングステーション部１ａとメイン部１ｂとは、互いに着脱自在に設けられる。
【００１３】
例えば、ドッキングステーション部１ａは、キーボードとＮＩＣ（Ｎｅｔｗｏｒｋ  Ｉｎｔｅｒｆａｃｅ  Ｃａｒｄ）と予備バッテリーとを備える。ドッキングステーション部１ａは、自らの識別情報を記憶する。例えば、ドッキングステーション部１ａは、自らの識別情報として、ＮＩＣのＭＡＣアドレスの情報を記憶する。
【００１４】
例えば、メイン部１ｂは、ＣＰＵ，メモリ、バッテリー、液晶パネルを備える。メイン部１ｂは、対となるドッキングステーション部１ａと接続された状態において初回起動時に当該ドッキングステーション部１ａに記憶された識別情報を読み取った上で当該識別情報を記憶する。
【００１５】
例えば、ＤＨＣＰサーバ２は、エレベーターの保守会社に設けられる。ＤＣＨＰサーバは、複数の携帯端末１のそれぞれにおいて対となるドッキングステーション部１ａとメイン部１ｂとが接続された状態において、複数のドッキングステーション部１ａのＭＡＣアドレスに基づいて、複数のメイン部１ｂのそれぞれにＩＰアドレスを割り当てた上で当該ＩＰアドレスの情報を複数のメイン部１ｂのそれぞれに記憶させる。
【００１６】
例えば、管理サーバ３は、エレベーターの保守会社に設けられる。管理サーバ３は、ネットワークに接続された携帯端末１を認識することで複数の携帯端末１の所在を管理する。例えば、管理サーバ３は、ドッキングステーション部１ａとメイン部１ｂとが接続されている状態において、当該メイン部１ｂに記憶されたＩＰアドレスの情報に基づいて管理対象の携帯端末１を社内のネットワークを検索し、当該メイン部１ｂを一定のスケジュールに従って管理する。
【００１７】
また、メイン部１ｂを使用する保守員が一定のスケジュール内で社内のネットワークに戻ってこられず、管理が失敗することを防止するべく、メイン部１ｂからの要求により、管理サーバ３が一定のスケジュール外に管理を行ってもよい。
【００１８】
次に、図２を用いて、携帯端末１のメイン部１ｂの動作の概要を説明する。
図２は実施の形態１における携帯端末システムが適用される携帯端末のメイン部の動作の概要を説明するためのフローチャートである。
【００１９】
ステップＳ１では、メイン部１ｂは、ドッキングステーション部１ａが接続されたか否かを判定する。ステップＳ１でドッキングステーション部１ａが接続されていない場合、メイン部１ｂは、ステップＳ１の動作を行う。ステップＳ１でドッキングステーション部１ａが接続された場合、メイン部１ｂは、ステップＳ２の動作を行う。
【００２０】
ステップＳ２では、メイン部１ｂは、当該ドッキングステーション部１ａからＭＡＣアドレスの情報を取得する。その後、メイン部１ｂは、ステップＳ３の動作を行う。ステップＳ３では、メイン部１ｂは、当該ドッキングステーション部１ａのＭＡＣアドレスの情報が自らに記憶されたＭＡＣアドレスの情報と一致するか否かを判定する。
【００２１】
ステップＳ３で当該ドッキングステーション部１ａのＭＡＣアドレスの情報が自らに記憶されたＭＡＣアドレスの情報と一致する場合、メイン部１ｂは、動作を終了する。
【００２２】
ステップＳ３で当該ドッキングステーション部１ａのＭＡＣアドレスの情報が自らに記憶されたＭＡＣアドレスの情報と一致しない場合、メイン部１ｂは、ステップＳ４の動作を行う。ステップＳ４では、メイン部１ｂは、外部に向けて警告情報を出力する。例えば、メイン部１ｂは、警告情報を液晶パネルに表示させる。例えば、メイン部１ｂは、Ｂｅｅｐ音を発生させる。その後、メイン部１ｂは、動作を終了する。
【００２３】
次に、図３を用いて、一定のスケジュールに従って管理する場合の管理サーバ３の動作の概要を説明する。
図３は実施の形態１における携帯端末システムが適用される管理サーバの動作の概要を説明するためのフローチャートである。
【００２４】
ステップＳ１１では、管理サーバ３は、当該メイン部１ｂのＩＰアドレスがＤＨＣＰサーバ２により当該ドッキングステーション部１ａのＭＡＣアドレスに基づいて割り当てられたＩＰアドレスであるか否かを判定する。
【００２５】
ステップＳ１１で当該メイン部１ｂのＩＰアドレスがＤＨＣＰサーバ２により当該ドッキングステーション部１ａのＭＡＣアドレスに基づいて割り当てられたＩＰアドレスである場合、管理サーバ３は、ステップＳ１２の動作を行う。ステップＳ１２では、管理サーバ３は、当該ドッキングステーション部１ａと当該メイン部１ｂとは対であると判定する。その後、管理サーバ３は、動作を終了する。
【００２６】
ステップＳ１１で当該メイン部１ｂのＩＰアドレスがＤＨＣＰサーバ２により当該ドッキングステーション部１ａのＭＡＣアドレスに基づいて割り当てられたＩＰアドレスでない場合、管理サーバ３は、ステップＳ１３の動作を行う。ステップＳ１３では、管理サーバ３は、当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスであるか否かを判定する。
【００２７】
ステップＳ１３で当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスである場合、管理サーバ３は、ステップＳ１４の動作を行う。ステップＳ１４では、管理サーバ３は、当該ドッキングステーション部１ａと当該メイン部１ｂとは対でないと判定する。その後、管理サーバ３は、動作を終了する。
【００２８】
ステップＳ１３で当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスでない場合、管理サーバ３は、ステップＳ１５の動作を行う。ステップＳ１５では、管理サーバ３は、当該メイン部１ｂは管理すべきメイン部１ｂではないと判定する。その後、管理サーバ３は、動作を終了する。
【００２９】
次に、図４を用いて、メイン部１ｂからの要求により一定のスケジュール外に管理する場合の管理サーバ３の動作の概要を説明する。
図４は実施の形態１における携帯端末システムが適用される管理サーバの動作の概要を説明するためのフローチャートである。
【００３０】
ステップＳ２１では、管理サーバ３は、ドッキングステーション部１ａが接続されたか否かを判定する。ステップＳ２１でドッキングステーション部１ａが接続されていない場合、管理サーバ３は、ステップＳ２１の動作を行う。ステップＳ２１でドッキングステーション部１ａが接続された場合、管理サーバ３は、ステップＳ２２の動作を行う。
【００３１】
ステップＳ２２では、管理サーバ３は、メイン部１ｂが当該ドッキングステーション部１ａに接続されているか否かを判定する。ステップＳ２２でメイン部１ｂが当該ドッキングステーション部１ａに接続されていない場合、ステップＳ２２の動作を行う。ステップＳ１２でメイン部１ｂが当該ドッキングステーション部１ａに接続されている場合、ステップＳ２３の動作を行う。
【００３２】
ステップＳ２３からステップＳ２７の動作は、図３のステップＳ１１からステップＳ１５の動作と同じである。
【００３３】
以上で説明した実施の形態１によれば、携帯端末１は、ドッキングステーション部１ａとメイン部１ｂとを備える。ドッキングステーション部１ａは、自らの識別情報を記憶する。メイン部１ｂは、ドッキングステーション部１ａに対して着脱自在に設けられる。メイン部１ｂは、対となるドッキングステーション部１ａの識別情報を記憶する。メイン部１ｂは、ドッキングステーション部１ａと接続した際に、接続されたドッキングステーション部１ａの識別情報と自らに記憶された識別情報との比較結果に基づいて、対となるドッキングステーション部１ａと接続したか否かを判定する。このため、ドッキングステーション部１ａとメイン部１ｂとの誤接続を抑制することができる。
【００３４】
また、メイン部１ｂは、対となるドッキングステーション部と異なるドッキングステーション部１ａと接続した場合は、外部に向けて警告情報を出力する。このため、ドッキングステーション部１ａとメイン部１ｂとの誤接続を携帯端末１の利用者に報知することができる。
【００３５】
なお、メイン部１ｂにおいて、外部からの操作に基づいて、記憶された識別情報を書き替えてもよい。この場合、対となるドッキングステーション部１ａが変更された場合に誤接続と判定されることを抑制できる。例えば、対となるドッキングステーション部１ａが故障したり修理したりして対となるドッキングステーション部１ａの識別情報が変更された場合に誤接続と判定されることを抑制できる。
【００３６】
また、管理サーバ３は、ドッキングステーション部１ａとメイン部１ｂとが接続されている状態において、当該メイン部１ｂのＩＰアドレスがＤＨＣＰサーバ２により当該ドッキングステーション部１ａのＭＡＣアドレスに基づいて割り当てられたＩＰアドレスである場合に、当該ドッキングステーション部１ａと当該メイン部１ｂとは対であると判定する。このため、携帯端末１の状態を正確に管理することができる。
【００３７】
また、管理サーバ３は、ドッキングステーション部１ａとメイン部１ｂとが接続されている状態において、当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスである場合に、当該ドッキングステーション部１ａと当該メイン部１ｂとは対でないと判定する。このため、携帯端末１の状態を正確に管理することができる。
【００３８】
また、管理サーバ３は、ドッキングステーション部１ａとメイン部１ｂとが接続されている状態において、当該メイン部１ｂのＩＰアドレスがＤＨＣＰサーバ２により前記複数のメイン部１ｂのいずれかのメイン部１ｂに割り当てられたＩＰアドレスでない際に、当該メイン部１ｂは管理すべきメイン部１ｂでないと判定する。このため、管理対象外のメイン部１ｂの存在を把握することができる。
【００３９】
次に、図５を用いて、メイン部１ｂの要部の例を説明する。
図５は実施の形態１における携帯端末システムが適用される携帯端末のメイン部の要部のハードウェア構成図である。
【００４０】
メイン部１ｂの要部の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００４１】
処理回路が少なくとも１つのプロセッサ１００ａと少なくとも１つのメモリ１００ｂとを備える場合、メイン部１ｂの要部の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、メイン部１ｂの要部の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４２】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、メイン部１ｂの要部の各機能は、それぞれ処理回路で実現される。例えば、メイン部１ｂの要部の各機能は、まとめて処理回路で実現される。
【００４３】
メイン部１ｂの要部の各機能について、一部を専用のハードウェア２００で実現し、他部をソフトウェアまたはファームウェアで実現してもよい。例えば、対となるドッキングステーション部１ａと接続したか否かを判定する機能については専用のハードウェア２００としての処理回路で実現し、対となるドッキングステーション部１ａと接続したか否かを判定する機能以外の機能については少なくとも１つのプロセッサ１００ａが少なくとも１つのメモリ１００ｂに格納されたプログラムを読み出して実行することにより実現してもよい。
【００４４】
このように、処理回路は、ハードウェア２００、ソフトウェア、ファームウェア、またはこれらの組み合わせでメイン部１ｂの要部の各機能を実現する。
【００４５】
図示されないが、ＤＨＣＰサーバ２の各機能も、メイン部１ｂの要部の各機能を実現する処理回路と同等の処理回路で実現される。管理サーバ３の各機能も、メイン部１ｂの要部の各機能を実現する処理回路と同等の処理回路で実現される。
【００４６】
実施の形態２．
図６は実施の形態２における携帯端末システムが適用される管理サーバの動作の概要を説明するためのフローチャートである。なお、実施の形態１の部分と同一又は相当部分には同一符号が付される。当該部分の説明は省略される。
【００４７】
実施の形態２において、管理サーバ３は、ドッキングステーション部１ａとメイン部１ｂとが接続されている状態において、当該メイン部１ｂに記憶されたＩＰアドレスの情報に基づいて当該メイン部１ｂが管理すべきメイン部１ｂであるか否かを管理する。
【００４８】
ステップＳ３１では、管理サーバ３は、当該メイン部１ｂのＩＰアドレスがＤＨＣＰサーバ２により当該ドッキングステーション部１ａのＭＡＣアドレスに基づいて割り当てられたＩＰアドレスであるか否かを判定する。
【００４９】
ステップＳ３１で当該メイン部１ｂのＩＰアドレスがＤＨＣＰサーバ２により当該ドッキングステーション部１ａのＭＡＣアドレスに基づいて割り当てられたＩＰアドレスである場合、管理サーバ３は、ステップＳ３２の動作を行う。ステップＳ３２では、管理サーバ３は、当該メイン部１ｂは管理すべきメイン部１ｂであると判定する。その後、管理サーバ３は、ステップＳ３３の動作を行う。ステップＳ３３では、管理サーバ３は、インテルＡＭＴ（インテル  アクティブ  マネジメント  テクノロジ）等の機能により当該メイン部１ｂのチェックを行って管理が適正であることを示すログを残す。その後、管理サーバ３は、動作を終了する。
【００５０】
ステップＳ３１で当該メイン部１ｂのＩＰアドレスがＤＨＣＰサーバ２により当該ドッキングステーション部１ａのＭＡＣアドレスに基づいて割り当てられたＩＰアドレスでない場合、管理サーバ３は、ステップＳ３４の動作を行う。ステップＳ３４では、管理サーバ３は、当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスであるか否かを判定する。
【００５１】
ステップＳ３４で当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスである場合、管理サーバ３は、ステップＳ３５の動作を行う。ステップＳ３５では、管理サーバ３は、当該メイン部１ｂは管理すべきメイン部１ｂであると判定する。その後、管理サーバ３は、ステップＳ３６の動作を行う。ステップＳ３６では、管理サーバ３は、インテルＡＭＴ等の機能によりメイン部１ｂのチェックを行って管理が不適正であることを示すログを残す。その後、管理サーバ３は、動作を終了する。
【００５２】
ステップＳ３４で当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスでない場合、管理サーバ３は、ステップＳ３７の動作を行う。ステップＳ３７では、管理サーバ３は、当該メイン部１ｂは管理すべきメイン部１ｂではないと判定する。その後、管理サーバ３は、メイン部１ｂのチェックを行わずに動作を終了する。
【００５３】
次に、図７と図８とを用いて、メイン部１ｂからの要求により一定のスケジュール外に管理する場合の管理サーバ３の動作の概要を説明する。
図７と図８とは実施の形態１における携帯端末システムが適用される管理サーバの動作の概要を説明するためのフローチャートである。
【００５４】
ステップＳ４１では、管理サーバ３は、ドッキングステーション部１ａが接続されたか否かを判定する。ステップＳ４１でドッキングステーション部１ａが接続されていない場合、管理サーバ３は、ステップＳ４１の動作を行う。ステップＳ４１でドッキングステーション部１ａが接続された場合、管理サーバ３は、ステップＳ４２の動作を行う。
【００５５】
ステップＳ４２では、管理サーバ３は、メイン部１ｂが当該ドッキングステーション部１ａに接続されているか否かを判定する。ステップＳ４２でメイン部１ｂが当該ドッキングステーション部１ａに接続されていない場合、ステップＳ４２の動作を行う。ステップＳ４２でメイン部１ｂが当該ドッキングステーション部１ａに接続されている場合、ステップＳ４３の動作を行う。
【００５６】
ステップＳ４３からステップＳ４９の動作は、図６のステップＳ３１からステップＳ３７の動作と同じである。
【００５７】
以上で説明した実施の形態２によれば、管理サーバ３は、ドッキングステーション部１ａとメイン部１ｂとが接続されている状態において、当該メイン部１ｂのＩＰアドレスがＤＨＣＰサーバ２により複数のメイン部１ｂのいずれかのメイン部１ｂに割り当てられたＩＰアドレスである際に、当該メイン部１ｂは管理すべきメイン部１ｂであると判定する。このため、ドッキングステーション部１ａとメイン部１ｂとが誤接続されている場合でも、メイン部１ｂを適切に管理することができる。
【００５８】
例えば、管理サーバ３は、ドッキングステーション部１ａとメイン部１ｂとが接続されている状態において、当該メイン部１ｂのＩＰアドレスがＤＨＣＰサーバ２により当該ドッキングステーション部１ａのＭＡＣアドレスに基づいて割り当てられたＩＰアドレスである場合に、当該メイン部１ｂは管理すべきメイン部１ｂであると判定する。対となるドッキングステーション部１ａとメイン部１ｂとが接続されている場合に、メイン部１ｂを適切に管理することができる。
【００５９】
例えば、管理サーバ３は、ドッキングステーション部１ａとメイン部１ｂとが接続されている状態において、当該メイン部１ｂのＩＰアドレスがＤＨＣＰサーバ２により当該ドッキングステーション部１ａとは異なるドッキングステーション部１ａのＭＡＣアドレスに基づいて割り当てられたＩＰアドレスである場合に、当該メイン部１ｂは管理すべきメイン部１ｂであると判定する。対とならないドッキングステーション部１ａとメイン部１ｂとが接続されている場合に、メイン部１ｂを適切に管理することができる。
【００６０】
例えば、管理サーバ３は、ドッキングステーション部１ａとメイン部１ｂとが接続されている状態において、当該メイン部１ｂのＩＰアドレスが前記ＤＨＣＰサーバ２により前記複数のメイン部１ｂのいずれかのメイン部１ｂに割り当てられたＩＰアドレスでない際に、当該メイン部１ｂは管理すべきメイン部１ｂでないと判定する。このため、管理対象外のメイン部１ｂの存在を把握することができる。
【産業上の利用可能性】
【００６１】
以上のように、この発明に係る携帯端末システムは、携帯端末を管理するシステムに利用できる。
【符号の説明】
【００６２】
１  携帯端末、  １ａ  ドッキングステーション部、  １ｂ  メイン部、  ２  ＤＨＣＰサーバ、  ３  管理サーバ、  １００ａ  プロセッサ、  １００ｂ  メモリ、  ２００  ハードウェア
【要約】
ドッキングステーション部とメイン部とが誤接続されている場合でも、メイン部を適切に管理することができる携帯端末システムを提供する。携帯端末システムは、対となるドッキングステーション部とメイン部とをそれぞれ着脱自在に有した複数の携帯端末と、前記複数の携帯端末のそれぞれにおいて対となるドッキングステーション部とメイン部とが接続された状態において、複数のドッキングステーション部のそれぞれのＭＡＣアドレスに基づいて、複数のメイン部のそれぞれにＩＰアドレスを割り当てるＤＨＣＰサーバと、ドッキングステーション部とメイン部とが接続されている状態において、当該メイン部のＩＰアドレスが前記ＤＨＣＰサーバにより前記複数のメイン部のいずれかのメイン部に割り当てられたＩＰアドレスである際に、当該メイン部は管理すべきメイン部であると判定する管理サーバと、を備えた。【図１】
0006693608.tif 000002
【図２】
0006693608.tif 000003
【図３】
0006693608.tif 000004
【図４】
0006693608.tif 000005
【図５】
0006693608.tif 000006
【図６】
0006693608.tif 000007
【図７】
0006693608.tif 000008
【図８】
0006693608.tif 000009